(57)【要約】  布地の第１の部分に取り付けられた１つまたは複数のボタンを有する、布地の留め具。留め具は、布地の第１の部分の下に配置される伸縮性のある布地層を備えてもよい。この器具はまた、布地の第２の部分に取り付けられた１つまたは複数のボタン穴を備えてもよい。１つまたは複数のボタン穴は水平線に対して傾斜していてもよく、１つまたは複数のボタンを受容するように構成されている。このボタン穴はさらに、１つまたは複数のボタンが１つまたは複数のボタン穴にボタン留めされて、布地の第１の部分を布地の第２の部分へ固着するように構成されていてもよい。
2013528443.tif 000002
【特許請求の範囲】
【請求項１】
布地の部分同士を固着するための留め具であって、
ａ．前記布地の第１の部分に取り付けられた少なくとも１つのボタンと、
ｂ．前記少なくとも１つのボタンに縫い付けられた前記布地の前記第１の部分の下の伸縮性のある布地の層と、
ｃ．前記少なくとも１つのボタンを受容するように適合され、かつ前記ボタンが受容された場合に前記布地の前記第１の部分を前記布地の第２の部分に固着するように適合された、少なくとも１つのボタン穴と、
を備え、
前記少なくとも１つのボタン穴は水平線に対して傾斜しており、前記少なくとも１つのボタン穴は前記布地の前記第２の部分に取り付けられている、留め具。
【請求項２】
前記ボタン穴は前記水平線に対して９０度より小さい角度で傾斜している、請求項１に記載の留め具。
【請求項３】
前記ボタン穴は前記水平線に対して９０度より大きく、かつ１８０度より小さい角度で傾斜している、請求項１に記載の留め具。
【請求項４】
前記少なくとも１つのボタンは、伸縮性のある糸によって前記布地の第１の部分に固着されている、請求項１に記載の留め具。
【請求項５】
前記ボタンは掴むために必要な摩擦を増すためにゴム製被覆で覆われている、請求項１に記載の留め具。
【請求項６】
前記ボタンは、前記ボタンを掴み易くするために必要な摩擦を増大させる粗面でできている、請求項１に記載の留め具。
【請求項７】
布地の部分同士を固着するための留め具であって、
ａ．少なくとも１つのボタンであって、前記布地の第１の部分に取り付けられ、かつ前記布地の前記第１の部分に弾力のある糸で取り付けられている、前記少なくとも１つのボタンと、
ｂ．前記少なくとも１つのボタンを受容し、前記少なくとも１つのボタンが受容された場合に前記布地の前記第１の部分を前記布地の第２の部分に固着するように適合された、少なくとも１つのボタン穴であって、水平線に対して傾斜し、かつ前記布地の前記第２の部分に取り付けられている、前記少なくとも１つのボタン穴と、
を備えた、留め具。
【請求項８】
前記ボタン穴は前記水平線に対して９０度より小さい角度で傾斜している、請求項７に記載の留め具。
【請求項９】
前記ボタン穴は前記水平線に対して９０度より大きくかつ１８０度より小さい角度で傾斜している、請求項７に記載の留め具。
【請求項１０】
前記少なくとも１つのボタンは、伸縮性のある糸によって前記布地の第１の部分に固着されている、請求項７に記載の留め具。
【請求項１１】
前記ボタンは前記ボタンを掴むために必要な摩擦を増すためにポリエステル樹脂で覆われている、請求項７に記載の留め具。
【請求項１２】
前記ボタンは、前記ボタンを掴み易くするために必要な摩擦を増大させる粗面でできている、請求項７に記載の留め具。
【請求項１３】
布地の部分同士を固着するための留め具であって、
ａ．少なくとも１つのボタンであって、前記布地の第１の部分に取り付けられ、前記布地の前記第１の部分に弾性のある糸で取り付けられている、前記少なくとも１つのボタンと、
ｂ．前記少なくとも１つのボタンに縫い付けられた伸縮性のある布地の層と、
ｃ．前記ボタンを受容し、かつ前記ボタンが受容された場合に、前記布地の前記第１の部分を固着するように構成された少なくとも１つのボタン穴であって、水平線に対して傾斜しており、かつ前記布地の前記第２の部分に取り付けられている、前記少なくとも１つのボタン穴と、
を備えた、留め具。
【請求項１４】
前記ボタン穴は前記水平線に対して９０度より小さい角度で傾斜している、請求項１３に記載の留め具。
【請求項１５】
前記ボタン穴は前記水平線に対して９０度より大きく、かつ１８０度より小さい角度で傾斜している、請求項１３に記載の留め具。
【請求項１６】
前記少なくとも１つのボタンは、伸縮性のある糸によって布地の前記第１の部分に固着されている、請求項１３に記載の留め具。
【請求項１７】
前記ボタンは、前記ボタンを掴むのに必要な摩擦を増すためにポリエステル樹脂で覆われている、請求項１３に記載の留め具。
【請求項１８】
前記ボタンは、前記ボタンを掴み易くするために必要な摩擦を増大させる粗面でできている、請求項１３に記載の留め具。
【発明の詳細な説明】
【技術分野】
【０００１】
本発明は一般に、衣料品、家庭用繊維製品、革製品、編物または織物製品などに使用される布地の部分同士を固着する器具に関する。
【背景技術】
【０００２】
衣料品、家庭用繊維製品、革製品、編物または織物製品などに使用される布地の部分同士は通常ボタンとボタン穴の構成を利用して相互に固着される。このような構成におけるボタンは通常動かない糸を使って布地上の適切な場所に取り付け、つまり縫い付けられる。これにより通常、ボタンは適切な位置に僅かしか動かないか全く動かない状態で固定される。衣料品、家庭用繊維製品、革製品、編物または織物製品の製品／布地の別の部分にあるボタン穴にボタンを通すためには動くことが必要になる。しかしこの動きは動かない糸によって拘束され、その結果利用者はボタンを引っ張らねばならない場合があり、これが結局は取り付けられた糸を弱めることにつながる。ボタンを引っ張ることは、（ボタンをその位置に取り付けている）結び目を緩める可能性もあり、そうして、すぐにまたは継続して使用した後にボタンが緩んだ結び目から脱落してなくなることもある。さらには、年配者または障害者は一般的にボタンなどのような小さなものを掴むことが困難であり、そのためにボタン留めすることが困難となる。この問題は関節炎などの健康状態によってさらに悪化し、関節炎患者にとってボタンを留めることは苦痛となる場合もある。
【０００３】
これらの問題を考えると、衣料品、家庭用繊維製品、革製品、編物または織物の製品／布地を容易に留められるようにする器具の必要性が存在する。また、障害者が衣服や衣類のボタン留めをしょうとする際に通常受ける苦痛を軽減または除去する器具の必要性も存在する。
【発明の概要】
【発明が解決しようとする課題】
【０００４】
上記の課題に鑑みて、本発明の目的は衣料品、家庭用繊維製品、革製品、編物または織物の製品などの布地またはその一部分を固着するための器具を提供することにある。
【課題を解決するための手段】
【０００５】
本発明の実施形態の一態様において、器具は１つまたは複数のボタンを備える。１つまたは複数のボタンが布地の第１の部分に取り付けられてよい。この器具は、布地の第１の部分の下に配置される伸縮性のある布地層を備えてもよい。この伸縮性のある布地の層は、１つまたは複数のボタンに縫い付けられてもよい。この器具はまた、布地の第２の部分に取り付けられた１つまたは複数のボタン穴を備えてもよい。このボタン穴は、１つまたは複数のボタンを受容するように構成されて、さらには１つまたは複数のボタンがボタン穴にボタン留めされた場合に、布地の第１の部分を布地の第２の部分へ固着するように構成されていてもよい。１つまたは複数のボタン穴は水平線に対して傾斜していてもよい。
【０００６】
本発明の実施形態の別の態様において、１つまたは複数のボタン穴が傾斜して、すなわち水平線に対して９０度未満の角度または９０度超で１８０度未満の角度がついていてもよい。本発明の実施形態の別の態様において。
【０００７】
本発明のもう１つの目的は、１つまたは複数のボタンが伸縮性のある糸によって布地の第１の部分へ留められている留め具を提供することである。本発明の別の態様によれば、布地の第１の部分とその布地の第１の部分の下に配置された伸縮性のある布地層の両方に、１つまたは複数のボタンが留められてもよい。
【０００８】
本発明の別の目的は、１つまたは複数のボタンを掴むのに必要な摩擦を増大させるために、１つまたは複数のボタンがゴム製被覆で覆われている留め具を提供することである。
【０００９】
本発明の別の目的は、１つまたは複数のボタンを容易に掴むのに必要な摩擦を増大させるために、１つまたは複数のボタンが粗面で作製されている留め具を提供することである。本発明の実施形態における別態様では、さらに利用者が掴めるようにするために、ボタンは溝状にエッチングされていてもよい。本発明の実施形態の別の態様では、ボタンの周辺に盛り上がった縁があるように成形されていてもよい。
【００１０】
本発明のさらに別の目的は、１つまたは複数のボタンを含み、この１つまたは複数のボタンは布地の第１の部分に取り付けられていてもよい留め具を提供することである。この１つまたは複数のボタンは弾性のある糸によって布地の第１の部分に取り付けられてもよい。この器具はさらに、布地の第２の部分に取り付けられた１つまたは複数のボタン穴を備えてもよい。１つまたは複数のボタン穴は、１つまたは複数のボタンを受容し、この１つまたは複数のボタンがボタン穴に受容される、つまりボタン留めされた場合、布地の第１の部分が布地の第２の部分へ固着されるようになっていてもよい。１つまたは複数のボタン穴は水平線に対して傾斜していてもよい。
【００１１】
本発明の実施形態の一態様では、ボタン穴は、９０度未満、または９０度超でかつ１８０度未満、のいずれかで水平線に対して角度がついていてもよい。本発明の実施形態の別の態様では、１つまたは複数のボタンは布地の第１の部分に取り付けられてもよい。本発明の実施形態の別の態様では、１つまたは複数のボタンは弾性的な、すなわち伸縮性のある糸を利用して取り付けられてもよい。
【００１２】
本発明のさらに別の目的は、布地を固着するための留め具を提供することであり、この留め具は、１つまたは複数のボタンを備え、その１つまたは複数のボタンは布地の第１の部分に取り付けられる。１つまたは複数のボタンは弾性のある糸によって布地の第１の部分に取り付けられてもよい。この器具はまた、布地の第１の部分の下方または直下にあって１つまたは複数のボタンに縫い付けられている、伸縮性のある布地層を備えていてもよい。この装置はさらに、それぞれが１つまたは複数のボタンを受容し、かつそれぞれが布地の第２の部分に取り付けられている１つまたは複数のボタン穴を備えていてもよい。ボタンがボタン穴に受容されると、つまりボタン留めされると、１つまたは複数のボタン穴が布地の第１と第２の部分を固着する。本発明の実施形態の一態様において、ボタン穴は水平線に対して傾斜していてもよい。
【００１３】
本発明の実施形態の別の態様において、１つまたは複数のボタン穴は、９０度未満の角度、または９０度超で１８０度未満の別の角度のいずれかで水平線に対して傾斜していてもよい。
【００１４】
本発明の特徴および利点は、特許請求の範囲及び図面と併せた以下における詳細な説明により、より明らかとなるであろう。ここで、同様の参照番号は、同一または機能的に類似の要素を示す。さらに、参照番号の一番左の数字は、その参照番号が最初に現れる図面を指している。
【図面の簡単な説明】
【００１５】
【図１Ａ】本発明の例示的態様による、布地の一部分にボタンが取り付けられた留め具の第１の部分の平面図である。
【図１Ｂ】本発明の別の例示的態様による、布地の一部分と伸縮性のある布地の層にボタンが取り付けられた留め具の第１の部分の平面図である。
【図１Ｃ】本発明の例示的態様による、布地の一部分にボタンが取り付けられた留め具の第１の部分の側面図である。
【図１Ｄ】本発明の別の例示的態様による、布地の一部分と伸縮性のある布地の層にボタンが取り付けられた留め具の第１の部分の側面図である。
【図２】本発明のさらに別の例示的態様による、複数のボタン穴を有する留め具の第２の部分の平面図である。
【発明を実施するための形態】
【００１６】
ここで図１Ａを参照すると、本発明の例示的態様による留め具の第１の部分１００の平面図が示されており、布地１０４にボタン１０２が取り付けられている。ボタン１０２は糸１１０によって布地１０４に固着、すなわち取り付けられている。本発明の実施形態の一態様において、糸１１０はポリウレタンなどのような伸縮性のある材料、あるいは当分野において周知のそのほかの任意の弾性／伸縮性のある材料で作られていてよく、利用者がその布地を別の部分にボタン留めしようとする際に、ボタン１０２を布地１０４から引き離すことができる。ボタン１０２は、これに限るものではないが、三角形、四角形、正方形などの任意の外形または形状であってよいことに留意されたい。
【００１７】
次に図１Ｂを参照すると、本発明の別の例示的態様による、布地１０４と伸縮性のある布地１１２とにボタン１０２が取り付けられた留め具の第１の部分１００の平面図が示されている。ここで、ボタン１０２は糸１１０によって布地１０４と伸縮性のある布地１１２に固着、すなわち取り付けられている。本発明の実施形態の一態様において、糸１１０は弾性繊維など伸縮性のある材料で作られていてよく、これにより利用者がその布地をその布地１０４の別の部分にボタン留めしようとする際に、ボタン１０２を布地１０４から引き離すことができる。伸縮性のある布地１１２もまた、利用者が第１の部分１００を布地の別の部分にボタン留めしようとする際に、ボタン１０２を引く、つまり伸ばすことをさらに可能とする。本発明の実施形態の別の態様においては、糸１１０はポリウレタンでくるまれたコットンで作られていてよい。本発明の実施形態の別の態様においては、糸１１０は、１００％のポリエステルまたは１００％のコットンでできていてもよいし、あるいはポリウレタンの芯がポリエステルとコットンの混紡でくるまれてできていてもよい。本発明の実施形態の別の態様においては、糸１１０はポリウレタンの芯を任意の繊維でくるんだものでよい。
【００１８】
一態様において、伸縮性のある布地１１２は、縦糸方向または横糸方向のいずれか、または縦糸、横糸の両方向に伸びることができる紡糸で作られた織布または不織布インターライニングであってよい。
【００１９】
本発明の実施形態の別の態様においては、ボタン１０２は、伸縮性を持つ織布または、溶融または非溶融の不織布インターライニングに取り付けられてもよい。こうすることにより、ボタン１０２は通常の位置からより大きく伸びることが可能となる。
【００２０】
本発明の実施形態の別の態様において、ボタン１０２を把持が容易な材料の被覆１０８で覆って、利用者がボタン１０２を掴んで留める能力が高められるようになっていてもよい。本発明のさらに別の態様では、ボタン１０２の表面と本体にエッチングを施して、ボタン１０２と利用者の指との間の摩擦を増加させるようにしてもよい。このこともまた、利用者が布地の部分同士をボタン留めするときにボタン１０２の把持力を高める。
【００２１】
次に図１Ｃを参照すると、本発明の例示的態様による、布地１０４にボタン１０２が取り付けられた状態の留め具の第１の部分１００の側面図が示されている。図１Ａと同様にここでは、ボタン１０２は糸１１０によって布地１０４に固着、すなわち取り付けられている。本発明の実施形態の一態様において、糸１１０はポリウレタンなどのような伸縮性のある材料、あるいは当分野において周知のそのほかの任意の弾性／伸縮性のある材料で作られていてよく、これにより利用者がその布地をその布地１０４の別の部分にボタン留めしようとする際に、ボタン１０２を布地１０４から引き離すことが可能となる。
【００２２】
次に図１Ｄを参照すると、本発明の別の例示的態様による、布地と伸縮性のある布地とにボタンが取り付けられた留め具の第１の部分１００の側面図が示されている。ここで図１Ｂと同様に、ボタン１０２は糸１１０によって布地１０４と伸縮性のある布地１１２に固着、すなわち取り付けられている。本発明の実施形態の一態様において、糸１１０はポリウレタンなどのような伸縮性のある材料、あるいは当分野において周知のそのほかの任意の弾性／伸縮性のある材料などで作られていてよく、利用者がその布地をその布地１０４の別の部分にボタン留めしようとする際に、ボタン１０２を布地１０４から引き離すことができる。伸縮性のある布地１１２もまた、利用者が布地の部分１０４を布地の別の部分にボタン留めしようとする際に、ボタン１０２を引く、つまり伸ばすことをさらに可能とする。伸縮性のある布地１１２と糸１１０とは（一態様においてこれらが伸縮性材料でできている場合には）、利用者がボタン１０２を外した後は、ボタン１０２が元の位置に戻るようにすることができる。
【００２３】
次に図２を参照すると、本発明のさらに別の例示的態様による、複数のボタン穴を有する留め具の第２の部分２００の平面図が示されている。第２の部分２００は、布地部分２０４に切り込まれた１つまたは複数のボタン穴２０２からなっている。布地部分２０４は布地部分１０４と同一の布地でできていてもよい。ボタン穴２０２は水平線に対しては斜めになっている。本発明の一態様において、ボタン穴２０２は９０度未満の角度で斜めになっていてよい。本発明の別の態様では、ボタン穴２０２は水平線から測って９０度超かつ１８０度未満の角度で斜めになっていてもよい。この傾斜していることで利用者のボタン留め操作が楽になる。
【００２４】
ボタン留めの際、第１の部分１００を第２の部分２００に留めようとする利用者は、ボタン１０２をしっかりまたはさっと掴んで、ボタン穴２０２に挿入する。一態様においてはボタン１０２の入口／挿入のポイントに向かってボタン穴２０２が傾斜しているので、このボタン穴２０２が傾斜している構成によってボタン留め操作が容易になる。また、利用者が布地の両方の部分、すなわち第１の部分１００と第２の部分２００とをボタン留めしようとする際に、その両方の部分が正確に位置合わせされないこともあるので、ボタン穴２０２が角度的に傾斜していることでボタン留め操作が容易になる。ボタンを外すと、糸１１０（ここで糸１１０は伸縮性材料でできている）及び／又は伸縮性布地１１２によって、ボタン１０２は元の位置に戻る、つまり引っ込む。これにより、利用者が必要に応じてボタン１０２を引っ張ることができ、しかも糸１１０が緩んでボタン１０２をなくすということがないようできる。本発明の実施形態の一態様において、ボタン穴２０２を弾性布地または伸縮性布地で取り囲んで、ボタン１０２の挿入が楽になるようにボタン穴２０２が伸びるようにしてもよい。
【００２５】
本発明を特定の形状及び実施形態を参照して開示したが、本発明の趣旨及び範囲を逸脱することなしに非常に多くの変形が可能であることは明らかであろう。例えば、手順は逆転してもよいし、具体的に開示された要素を等価なもので置き換えてもよいし、また本発明の特定の特徴を他の特徴から独立して利用してもよい。これらはすべて添付の特許請求の範囲に規定される本発明から乖離するものではない。
【図１Ａ】
2013528443.tif 000003
【図１Ｂ】
2013528443.tif 000004
【図１Ｃ】
2013528443.tif 000005
【図１Ｄ】
2013528443.tif 000006
【図２】
2013528443.tif 000007
【国際調査報告】
2013528443.tif 000008
2013528443.tif 000009